(57)【要約】      （修正有）【課題】装着者が飲食物を口に運ぶ際にゴム紐を外さずに飲食することができるマウスシールドを提供する。【解決手段】マウスシールドＸは、装着者の口を鼻と共に覆う透明樹脂製のカバー１と、カバー１の下端部左右両位置にそれぞれ取り付けられた左右一対の耳掛け用のゴム紐２とを備える。装着者の顎を上下両側から挟むように顎に向かってカバー１の裏面側の下部より突出する上下一対の突起片１２、１３を設ける。カバー１に、その下端部の上側の突起片１２の直上側位置よりも上側の口上側部分３１を口下側部分３２に対し装着者の口から離接する方向へ折り曲げ可能に左右方向へ延びる口用折曲線３３と、装着者の鼻の直下側位置よりも上側の口上側部分３１の上側部分３４を下側部分３５に対し装着者の鼻から離接する方向へ折り曲げ可能に左右方向へ延びる鼻用折曲線３６とを設ける。【選択図】図２
0003234020.tif 000002
【実用新案登録請求の範囲】
【請求項１】
装着者の口を鼻と共に覆う透明樹脂製のカバーと、
前記カバーの下端部左右両位置にそれぞれ取り付けられ、前記装着者の耳又は後頭部に掛けて前記カバーを保持する保持具と、
を備えており、
前記カバーには、
前記装着者の顎を上下両側から挟むように当該顎に向かって下部より突出する上下一対の突起片が設けられている一方、
前記上側の突起片の直上側位置よりも上側部分を下側部分に対し前記装着者の口から離接する方向へ折り曲げ可能に左右方向へ延びる口用折曲線が設けられていることを特徴とするマウスシールド。
【請求項２】
前記口用折曲線は、その左右方向中央部が左右両端部よりも上方に位置するように湾曲している請求項１に記載のマウスシールド。
【請求項３】
前記カバーには、前記装着者の鼻の直下側位置よりも上側部分を下側部分に対し前記装着者の鼻から離接する方向へ折り曲げ可能に左右方向へ延びる鼻用折曲線が設けられている請求項１又は請求項２に記載のマウスシールド。
【請求項４】
前記鼻用折曲線は、その左右方向中央部が左右両端部よりも上方に位置するように湾曲している請求項３に記載のマウスシールド。
【請求項５】
前記上側の突起片の高さは、前記装着者の鼻に対し当該鼻を覆う部分が離間した状態で覆われるような高さに設定されている請求項１〜請求項４のいずれか１つに記載のマウスシールド。
【考案の詳細な説明】
【技術分野】
【０００１】
本考案は、ウイルスなどからの感染を防止するために用いられるマウスシールドに関する。
【背景技術】
【０００２】
この種のマウスシールドとしては、従来より、透明樹脂製で略Ｕ字状に湾曲して成形され、かつ後方両側端に装着者の耳又は後頭部に掛けて保持する保持具が備えられる下部ボディと、この下部ボディの前方上側から斜め上向きに形成され、着用者の口や鼻を含む呼吸器が露出されるように呼吸器の周辺前方をカバーする呼吸器前方カバー体と、を備えたものが知られている（特許文献１参照）。
【先行技術文献】
【特許文献】
【０００３】
【特許文献１】実用新案登録第３２２８７９４号
【考案の概要】
【考案が解決しようとする課題】
【０００４】
ところで、肺炎などを引き起こす新型コロナウィルス等は、唾液の飛沫を介して感染することが知られており、ワクチン接種の広がりに伴い感染拡大の収束化が進んでいっても、感染防止を図る上でマウスシールドを装着しておくことで、新型コロナウィルス等の脅威に対し安心感を与えることが期待される。
【０００５】
その場合、マウスシールドを装着した装着者が飲食店等で食事する際などにマウスシールドの装着義務があると、装着者は飲食物を口に運ぶ都度マウスシールドを外す必要がある。しかし、マウスシールドを外す際にはその都度、装着者の耳又は後頭部に掛けている保持具をわざわざ取り外す必要があり、面倒な動作が余儀なくされる。
【０００６】
本考案は、かかる点に鑑みてなされたものであり、その目的とするところは、保持具を外すといった面倒な動作を不要にし、装着者が飲食物を口に運ぶ際に保持具を外さなくても飲食することができるマウスシールドを提供することにある。
【課題を解決するための手段】
【０００７】
前記目的を達成するため、本考案では、マウスシールドとして、装着者の口を鼻と共に覆う透明樹脂製のカバーと、前記カバーの下端部左右両位置にそれぞれ取り付けられ、前記装着者の耳又は後頭部に掛けて前記カバーを保持する保持具と、を備える。そして、前記カバーに、前記装着者の顎を上下両側から挟むように当該顎に向かって下部より突出する上下一対の突起片を設ける一方、前記上側の突起片の直上側位置よりも上側部分を下側部分に対し前記装着者の口から離接する方向へ折り曲げ可能に左右方向へ延びる口用折曲線を設けることを特徴としている。
【０００８】
更に、前記口用折曲線を、その左右方向中央部が左右両端部よりも上方に位置するように湾曲させることがこのましい。
【０００９】
また、前記カバーに、前記装着者の鼻の直下側位置よりも上側部分を下側部分に対し前記装着者の鼻から離接する方向へ折り曲げ可能に左右方向へ延びる鼻用折曲線を設けていてもよい。
【００１０】
更に、前記鼻用折曲線を、その左右方向中央部が左右両端部よりも上方に位置するように湾曲させることがこのましい。
【００１１】
また、前記上側の突起片の高さを、前記装着者の鼻に対し当該鼻を覆う部分が離間した状態で覆われるような高さに設定していてもよい。
【考案の効果】
【００１２】
以上、要するに、保持具を耳又は後頭部に掛けて保持する透明樹脂製のカバーはその下部より顎に向かって突出する上下一対の突起片によって顎を上下両側から挟んだ状態で装着者の口を鼻と共に覆い、唾液の飛沫を介したウイルスの感染を防止している。
【００１３】
その場合、上側の突起片の直上側位置よりも上側部分を下側部分に対し装着者の口から離接する方向へ折り曲げ可能に左右方向へ延びる口用折曲線をカバーに設けることで、装着者が飲食物を口に運ぶ際に上側の突起片の直上側位置を左右方向へ延びる口用折曲線よりも上側部分が下側部分に対し装着者の口から離反する方向へ折り曲げられる。これにより、装着者が飲食物を口に運ぶ際に保持具を外すといった面倒な動作が不要となり、保持具を取り外さなくても飲食することができる。
【００１４】
更に、左右方向中央部が左右両端部よりも上方に位置するように口用折曲線を湾曲させることで、口用折曲線よりも上側部分を下側部分に対し装着者の口から離反する方向へ折り曲げた際に下側部分に対する上側部分の折り曲げ角度が顔面下部に沿った曲面と相俟って非常に鋭角となる。これにより、装着者が飲食物を口に運ぶ際に下側部分が邪魔になり難いものとなり、より円滑に飲食することができる。
【００１５】
一方、口用折曲線よりも上側部分を下側部分に対し装着者の口に近接する方向へ折り曲げると、口用折曲線の湾曲に沿って左右両側が、顔面下部に沿った曲面と相俟って中央よりも顔面に近接して効果的に顔を覆い包むように変形し、これにより、装着者に対するウイルスの予防に効果的に対処することができる。
【００１６】
また、装着者の鼻の直下側位置よりも上側部分を下側部分に対し装着者の鼻から離接する方向へ折り曲げ可能に左右方向へ延びる鼻用折曲線をカバーに設けることで、装着した際に鼻の直下側位置を左右方向へ延びる鼻用折曲線よりも上側部分を下側部分に対し角度変更される。このため、装着した際に鼻用折曲線よりも上側部分が鼻を圧迫する傾向があれば装着者の鼻から離反する方向へ折り曲げられる一方、鼻からのウイルスなどの侵入が気になる際に鼻用折曲線よりも上側部分が装着者の鼻に近接する方向へ折り曲げられる。これにより、装着者の鼻に対する圧迫感の防止やウイルスの予防に適宜対処することができる。
【００１７】
更に、左右方向中央部が左右両端部よりも上方に位置するように鼻用折曲線を湾曲させることで、鼻用折曲線よりも上側部分を下側部分に対し装着者の鼻から離反する方向へ折り曲げた際に下側部分に対する上側部分の折り曲げ角度が顔面下部に沿った曲面と相俟って非常に鋭角となり、装着者の鼻に対する圧迫感をより円滑に防止することができる。一方、鼻からのウイルスなどの侵入が気になる際に鼻用折曲線よりも上側部分を装着者の鼻に近接する方向へ折り曲げると、顔面下部に沿った曲面と相俟って上側部分がより鼻の周囲に近接し、装着者の鼻からのウイルス予防をより効果的に図ることができる。
【００１８】
また、上側の突起片の高さを、装着者の鼻を覆う部分が離間した状態で覆われるような高さに設定することで、マウスシールドを装着した際に装着者の鼻を覆う部分を予め離間した状態で覆うことが可能となり、装着者の鼻に対する圧迫感を効果的に防止することができる。
【図面の簡単な説明】
【００１９】
【図１】本考案の実施の形態に係るマウスシールドのカバーを正面側から見た正面図である。
【図２】図１のマウスシールドの斜視図である。
【図３】図１のマウスシールドのカバーの側面図である。
【図４】図１のマウスシールドのカバーを下方から見た底面図である。
【図５】図１のマウスシールドの口用折曲線を口に近接する方向へ折り曲げた状態を示す斜視図である。
【図６】図５のマウスシールドのカバーの側面図である。
【図７】図５のマウスシールドのカバーを下方から見た底面図である。
【図８】図１のマウスシールドの鼻用折曲線を鼻に近接する方向へ折り曲げた状態を示す斜視図である。
【図９】図８のマウスシールドのカバーの側面図である。
【図１０】図８のマウスシールドのカバーを下方から見た底面図である。
【図１１】図５のマウスシールドの口用折曲線を鼻用折曲線と共に顔面に近接する方向へ折り曲げた状態を示す斜視図である。
【図１２】図１１のマウスシールドのカバーの側面図である。
【図１３】図１１のマウスシールドのカバーを下方から見た底面図である。
【図１４】図１のマウスシールドを装着した際の側面図である。
【図１５】図１のマウスシールドを装着した際に鼻用折曲線を鼻から離反する方向へ鋭角に折り曲げた状態の側面図である。
【図１６】図１のマウスシールドの口用折曲線を口から離反する方向へ鋭角に折り曲げた状態の斜視図である。
【図１７】図１６のマウスシールドを装着した状態の側面図である。
【考案を実施するための形態】
【００２０】
以下、添付図面を参照しながら、本考案の実施の形態について説明し、本考案の理解に供する。なお、以下の実施の形態は、本考案を具体化した一例であって、本考案の技術的範囲を限定する性格のものではない。
【００２１】
図１は本考案の実施の形態に係るマウスシールドを正面側から見た正面図、図２は図１のマウスシールドの斜視図をそれぞれ示している。また、図３は図１のマウスシールドのカバーの側面図、図４は図１のマウスシールドのカバーを下方から見た底面図をそれぞれ示している。
【００２２】
図１〜図４に示すように、Ｘはマウスシールドである。このマウスシールドＸは、装着者の口を鼻と共に覆う正面視で略三角形状に形成された透明樹脂製のカバー１と、このカバー１の下端部左右両位置にそれぞれ取り付けられ、装着者Ｓ（図１４〜図１７に表れる）の耳ＳＥに掛けてカバー１を保持する保持具としての左右一対のゴム紐２，２（図２に表れる）と、を備える。
【００２３】
カバー１は、ポリエチレンテレフタレート（ＰＥＴ）などの透明な硬質樹脂が用いられ、０．３ｍｍ程度の厚さの硬質樹脂製シート材を真空成形して形成される。カバー１の裏面（顔面側）には、曇り止め剤がコーティングされている。
【００２４】
カバー１の中央下端部には下方へ突出する突出部１０が設けられ、この突出部１０には、カバー１の中央下端部に跨った状態で裏面側（顔面側）へ段差状に突出する略矩形状の段部１１が一体的に設けられている。この段部１１には、装着者Ｓの顎ＳＴを上下両側から挟むように当該顎ＳＴに向かって突出する上下一対の突起片１２，１３が設けられている。この上下の突起片１２，１３のうちの下側の突起片１３は、上側の突起片１２よりも突出量が大きく高所に位置している。このとき、段部１１は、カバー１の裏面より５ｍｍ程度突出している。
【００２５】
上下の突起片１２，１３は、その両者１２，１３間において段部１１より裏面側へ若干量（上側の突起片１２の略半分程度）突出する突部１４によって連結されている。このとき、上側の突起片１２の高さは、装着者Ｓの鼻ＳＮに対し当該鼻ＳＮを覆う部分が離間した状態で覆われるような高さ、具体的には下側の突起片１３が段部１１より２５ｍｍ程度の高さに設定されているのに対し、上側の突起片１２が段部１１より１５〜２０ｍｍ程度の高さに設定され、当該両突起片１２，１３は突出量にあまり差がない高さとなっている。
【００２６】
左右のゴム紐２，２は、カバー１の下端部左右両位置、つまり上側の突起片１１を左右方向へ延ばした左右両端位置にそれぞれ開口する略真円形状の開口孔２１，２１に挿通されている。各ゴム紐２は、左右の開口孔２１，２１にそれぞれ個別に挿通された状態で端部同士が結わえられて輪状とされ、左右の耳ＳＥにそれぞれ掛けられることで、カバー１を保持している。なお、各ゴム紐２は、左右の開口孔２１，２１にそれぞれ個別に挿通された状態で一端部をそれぞれ結わえ、互いの他端部同士が結わえられて一本の紐状とされ、これを後頭部ＳＨに掛けることで、耳ＳＥに負担なくカバー１を保持することも可能である。
【００２７】
図５は図１のマウスシールドＸの口用折曲線を口ＳＭに近接する方向へ折り曲げた状態を示す斜視図を示している。また、図６は図５のマウスシールドＸのカバー１の側面図、図７は図５のマウスシールドＸのカバー１を下方から見た底面図をそれぞれ示している。
【００２８】
図５〜図７にも示すように、側の突起片１１の直上側位置よりも上側部分となる口上側部分３１を下側部分となる口下側部分３２に対し装着者Ｓの口ＳＭから離接する方向へ折り曲げ可能な口用折曲線３３が左右方向へ延びて設けられている。この口用折曲線３３は、その左右方向中央部が左右両端部よりも上方に位置するように円弧状に湾曲している。口用折曲線３３の左右両端は、カバー１の左右両端にまで及んでいる。
【００２９】
図８は図１のマウスシールドＸの鼻用折曲線を鼻ＳＮに近接する方向へ折り曲げた状態を示す斜視図を示している。また、図９は図８のマウスシールドＸのカバー１の側面図、図１０は図８のマウスシールドＸのカバー１を下方から見た底面図をそれぞれ示している。
【００３０】
図８〜図１０にも示すように、カバー１には、装着者Ｓの鼻ＳＮの直下側位置よりも上側部分となる口上側部分３１の上側部分３４を下側部分としての口上側部分３１の下側部分３５に対し装着者Ｓの鼻ＳＮから離接する方向へ折り曲げ可能な鼻用折曲線３６が左右方向へ延びて設けられている。この鼻用折曲線３６は、その左右方向中央部が左右両端部よりも上方に位置するように円弧状に湾曲している。鼻用折曲線３６の左右両端は、カバー１の左右両端にまで及んでいる。
【００３１】
図１１は図５のマウスシールドＸの口用折曲線３３を鼻用折曲線３６と共に顔面に近接する方向へ折り曲げた状態を示す斜視図を示している。図１２は図１１のマウスシールドＸのカバー１の側面図、図１３は図１１のマウスシールドＸのカバー１を下方から見た底面図をそれぞれ示している。
【００３２】
図１１〜図１３に示すように、カバー１の口用折曲線３３及び鼻用折曲線３６は、当該両折曲線３３，３６を共に折り曲げ可能とされている。そして、口上側部分３１の下側部分３５は、口用折曲線３３を顔面に近接する方向へ折り曲げた際に、口用折曲線３３が円弧状に湾曲していることと相俟って口下側部分３２に対し左右両側方から顔面に近接するようになっている。一方、口上側部分３１の上側部分３４は、鼻用折曲線３６を顔面に近接する方向へ折り曲げた際に、鼻用折曲線３６が円弧状に湾曲していることと相俟って口上側部分３１の下側部分３５に対し左右両側方から顔面に近接するようになっている。
【００３３】
図１４は図１のマウスシールドＸを装着した際の側面図、図１５は図１のマウスシールドＸを装着した際に鼻用折曲線３６を鼻ＳＮから離反する方向へ鋭角に折り曲げた状態の側面図をそれぞれ示している。また、図１６は図１のマウスシールドＸの口用折曲線３３を口ＳＭから離反する方向へ鋭角に折り曲げた状態の斜視図、図１７は図１６のマウスシールドＸを装着した状態の側面図をそれぞれ示している。
【００３４】
マウスシールドＸは、図１４に示すように、口用折曲線３３及び鼻用折曲線３６を折り曲げることなく装着しても、上側の突起片１２が下側の突起片１３とあまり突出量に差がない高さに設定されていることで、装着者Ｓの口ＳＭを覆う口下側部分３２及び鼻ＳＮを覆う口上側部分３１がそれぞれ離間した状態で覆われるようになっている。また、マウスシールドＸは、図１５に示すように、鼻用折曲線３６のみを鼻ＳＮから離反する方向へ鋭角に折り曲げた際に、鼻ＳＮへの圧迫感が解除され利用になっている。
【００３５】
更に、マウスシールドＸは、図１６及び図１７に示すように、口用折曲線３３のみを口ＳＭから離反する方向へ鋭角に折り曲げた際に、口ＳＭの前方から口上側部分３１がなくなり、口ＳＭが前方へ露呈するようになっている。
【００３６】
また、カバー１の口下側部分３２には、左右の開口孔２１，２１と段部１１との間をほぼ等間隔置きに左右方向へ延びる複数の第１突条リブ４１，４１，…が設けられている。更に、左右の各第１突条リブ４１の下側には、段部１１の周囲を突出部１０にまで及んでほぼ等間隔置きに上下方向へ延びる複数の第２突条リブ４２，４２，…が設けられている。そして、これらの各第１及び各第２突条リブ４１，４２によって、カバー１の口下側部分３２の強度低下を防止している。
【００３７】
したがって、本実施の形態では、左右のゴム紐２，２を耳ＳＥに掛けて保持する透明樹脂製のカバー１は、その下部より顎ＳＴに向かって突出する上下一対の突起片１２，１３によって顎ＳＴを上下両側から挟んだ状態で装着者Ｓの口ＳＭを鼻ＳＮと共に覆い、唾液の飛沫を介したウイルスの感染を防止している。
【００３８】
その場合、上側の突起片１２の直上側位置よりも上側の口上側部分３１を下側の口下側部分３２に対し装着者Ｓの口ＳＭから離接する方向へ折り曲げ可能に左右方向へ延びる口用折曲線３３がカバー１に設けられているので、装着者Ｓが飲食物を口に運ぶ際に上側の突起片１２の直上側位置を左右方向へ延びる口用折曲線３３に沿って口上側部分３１が口下側部分３２に対し装着者Ｓの口ＳＭから離反する方向へ折り曲げられる。これにより、装着者Ｓが飲食物を口ＳＭに運ぶ際に左右のゴム紐２，２を耳ＳＥから取り外すといった面倒な動作が不要となり、ゴム紐２，２を耳ＳＥから取り外さなくても飲食することができる。
【００３９】
更に、左右方向中央部が左右両端部よりも上方に位置するように口用折曲線３３が湾曲しているので、口上側部分３１を口下側部分３２に対し装着者の口から離反する方向へ口用折曲線３３を折り曲げた際に口下側部分３２に対する口上側部分３１の折り曲げ角度が顔面下部に沿った曲面と相俟って非常に鋭角となる。これにより、装着者Ｓが飲食物を口ＳＭに運ぶ際に口下側部分３２が邪魔になり難いものとなり、より円滑に飲食することができる。
【００４０】
一方、口上側部分３１を口下側部分３２に対し装着者Ｓの口ＳＭに近接する方向へ口用折曲線３３を折り曲げると、口用折曲線３３の湾曲に沿って左右両側が、顔面下部に沿った曲面と相俟って中央よりも顔面に近接して効果的に顔を覆い包むように変形し、これにより、装着者Ｓに対するウイルスの予防に効果的に対処することができる。
【００４１】
また、装着者Ｓの鼻ＳＮの直下側位置よりも上側となる口上側部分３１の上側部分３４を鼻ＳＮの直下側位置よりも下側となる口上側部分３１の下側部分３５に対し装着者Ｓの鼻ＳＮから離接する方向へ折り曲げ可能に左右方向へ延びる鼻用折曲線３６がカバー１に設けられているので、装着した際に鼻ＳＮの直下側位置よりも上側部分３４を下側部分３５に対し鼻用折曲線３６に沿って角度変更される。このため、装着した際に鼻用折曲線３６よりも上側部分３４が鼻ＳＮを圧迫する傾向があれば装着者Ｓの鼻ＳＮから離反する方向へ折り曲げられる一方、鼻ＳＮからのウイルスなどの侵入が気になる際に上側部分３４が装着者Ｓの鼻ＳＮに近接する方向へ鼻用折曲線３６に沿って折り曲げられる。これにより、装着者Ｓの鼻ＳＮに対する圧迫感の防止やウイルスの予防に適宜対処することができる。
【００４２】
更に、左右方向中央部が左右両端部よりも上方に位置するように鼻用折曲線３６が湾曲しているので、鼻用折曲線３６よりも上側部分３４を下側部分３５に対し装着者Ｓの鼻ＳＮから離反する方向へ折り曲げた際に下側部分３５に対する上側部分３４の折り曲げ角度が顔面下部に沿った曲面と相俟って非常に鋭角となり、装着者Ｓの鼻ＳＮに対する圧迫感をより円滑に防止することができる上、手元の目近な物を見る際の視界の妨げを円滑に防止することができる。一方、鼻ＳＮからのウイルスなどの侵入が気になる際に鼻用折曲線３６よりも上側部分３４を装着者Ｓの鼻ＳＮに近接する方向へ折り曲げると、顔面下部に沿った曲面と相俟って上側部分３４がより鼻ＳＮの周囲に近接し、装着者Ｓの鼻ＳＮからのウイルス予防をより効果的に図ることができる。
【００４３】
また、上側の突起片１２の高さは、装着者Ｓの鼻ＳＮを覆う部分が離間した状態で覆われるような高さに設定されていることにより、マウスシールドＸを装着した際に装着者Ｓの鼻ＳＮ及び口ＳＭを覆う部分を予め離間した状態で覆うことが可能となり、装着者Ｓの鼻ＳＮ及び口ＳＭに対する圧迫感を効果的に防止することができる。
【００４４】
更に、鼻用折曲線３６及び口用折曲線３３をそれぞれ顔から離反する方向へ鋭角に折り曲げることで、非常にコンパクトなものとなり、持ち運びする際の省スペース化を図る上で非常に有利なものとなる。
【００４５】
なお、本考案は前記実施の形態に限定されるものではなく、その他種々の変形例を包含している。例えば、本実施の形態では、カバー１に鼻用折曲線３６及び口用折曲線３３をそれぞれ設けたが、口用折曲線のみがカバーに設けられていたり、カバーの上下に３つ以上の折曲線が設けられていてもよい。
【００４６】
また、本実施の形態では、カバー１をポリエチレンテレフタレートにより成形したが、その他の硬質樹脂材やパルプなどの材料が適用されていてもよい。
【００４７】
また、本実施の形態では、左右方向中央部が左右両端部よりも上方に位置するように鼻用折曲線３６及び口用折曲線３３を湾曲させたが、鼻用折曲線及び口用折曲線のうちの少なくとも一方又は双方が、左右方向中央部と左右両端部とが互いに同じ高さに位置するように左右方向へ延びる直線状に形成されていてもよい。
【００４８】
また、本実施の形態では、保持具として左右一対のゴム紐２，２を用いたが、カバーの下端部左右両位置の開口孔に挿通されるフックなどの係止具を両端に備えた伸縮自在なバンド状の保持具が用いられていてもよい。また、左右の開口孔にそれぞれ一端が挿通された紐状物によって保持具が構成されていてもよく、この場合、紐状物の他端同士を後頭部で結わえることでカバーが保持される。
【００４９】
更に、本実施の形態では、上下の突起片１２，１３を段部１１より突出させたが、この各突起片の先端面に顎への接触を和らげる布地や不織布などが張り付けられていてもよい。
【符号の説明】
【００５０】
１        カバー
１２      上側の突起片
１３      下側の突起片
２        ゴム紐（保持具）
３１      口上側部分（上側の突起片の直上側位置よりも上側部分）
３２      口下側部分（上側の突起片の直上側位置よりも下側部分）
３３      口用折曲線
３４      口上側部分の上側部分（鼻の直下側位置よりも上側部分）
３５      口上側部分の下側部分（鼻の直下側位置よりも下側部分）
３６      鼻用折曲線
Ｓ        装着者
ＳＥ      装着者の耳
ＳＨ      装着者の後頭部
ＳＭ      装着者の口
ＳＮ      装着者の鼻
ＳＴ      装着者の顎
Ｘ        マウスシールド
【図１】
0003234020.tif 000003
【図２】
0003234020.tif 000004
【図３】
0003234020.tif 000005
【図４】
0003234020.tif 000006
【図５】
0003234020.tif 000007
【図６】
0003234020.tif 000008
【図７】
0003234020.tif 000009
【図８】
0003234020.tif 000010
【図９】
0003234020.tif 000011
【図１０】
0003234020.tif 000012
【図１１】
0003234020.tif 000013
【図１２】
0003234020.tif 000014
【図１３】
0003234020.tif 000015
【図１４】
0003234020.tif 000016
【図１５】
0003234020.tif 000017
【図１６】
0003234020.tif 000018
【図１７】
0003234020.tif 000019